(57)【要約】【課題】  写真館等で撮影で作成された画像データ毎に、音声メッセージを付すことができる写真撮影システムを提供する。【解決手段】  デジタルカメラ１１０で作成した画像データを格納するサーバ装置３００と、サーバ装置３００に格納されている画像データをサムネイル画像として表示する顧客用端末装置２２０とを有線ＬＡＮ１３で接続する。顧客用端末装置２２０は、音声の入力により音声データを作成する音声入力部２２４を備える。サーバ装置３００は、音声入力部２２０で作成した音声データを顧客用端末装置２２０から受信すると、顧客用端末装置２２０に表示した画像データと関連付けて音声データを格納する。【選択図】  図２
2006295257.tif 000002
【特許請求の範囲】
【請求項１】
デジタルカメラで作成した画像データを格納するサーバ装置と、該サーバ装置に格納されている画像データをサムネイル画像として表示する顧客用端末装置と、を備えた写真撮影システムにおいて、
上記顧客用端末装置は、音声の入力により音声データを作成する音声入力部を備え、
上記サーバ装置は、上記音声入力部で作成した音声データを上記顧客用端末装置から受信すると、上記顧客用端末装置に表示した画像データと関連付けて音声データを格納することを特徴とする、写真撮影システム。
【請求項２】
前記サーバ装置は、画像データを印刷写真として印刷を行う印刷加工受付装置とネットワークを経由して接続されており、
前記印刷加工受付装置は、画像データと関連付けられている音声データを再生するための音声再生情報を付して、該画像データの印刷を行うことを特徴とする、請求項１に記載の写真撮影システム。
【発明の詳細な説明】
【技術分野】
【０００１】
本発明は、撮影スタジオなどで撮影により作成した画像データに音声データを付すことができる、写真撮影システムに関する。
【背景技術】
【０００２】
従来、写真館内の撮影スタジオ等では、被撮影者を所謂銀塩カメラで撮影し、現像処理等を行って写真を作成していた。また、特許文献１には、所謂銀塩カメラとして構成された主カメラ及びデジタルカメラとしての補助カメラにより被撮影者を同時に撮影することで、主カメラでの撮影状況を補助カメラの撮影状況から判断するようにした、写真撮影システムが開示されている。
【０００３】
一方、現像処理等を不要とするデジタルカメラのみでの撮影も行われている。デジタルカメラでは撮影で画像データが瞬時に作成されるので、画像データをモニター画面に出力表示し、顧客はモニター画面を見ながら自分が気に入った写真のみを印刷注文していた。即ち、先ず、デジタルカメラ中の記録媒体を写真館のサーバ装置などにセットして記録媒体内の画像データをサーバ装置に移動させたり、デジタルカメラとサーバ装置との間をケーブルで接続して、サーバ装置に画像データを転送する。次に、端末装置からサーバ装置にアクセスしてサーバ装置内の画像データを閲覧し、顧客が画像データを選択して印刷注文を行っていた。
【特許文献１】特公平０７−１１３７３３号公報
【発明の開示】
【発明が解決しようとする課題】
【０００４】
このように、顧客は、デジタルカメラの画像データを端末装置などのモニター画面に出力表示して、印刷したい画像データを選択入力することにより印刷注文を行うと、ポストカードやアルバムなどの印刷媒体を得ることができる。よって、これらの印刷媒体を記念に親戚や知り合いに送付することで、撮影状況等を視覚的に伝達することはできるけれども、印刷写真と共に音声メッセージを送ることはできない。
【０００５】
本発明は、以上の点に鑑み、写真館等で撮影で作成された画像データ毎に、音声メッセージを付すことができる、写真撮影システムを提供することを目的とする。
【課題を解決するための手段】
【０００６】
上記目的を達成するために、本発明の写真撮影システムは、デジタルカメラで作成した画像データを格納するサーバ装置と、サーバ装置に格納されている画像データをサムネイル画像として表示する顧客用端末装置とを備えた写真撮影システムにおいて、顧客用端末装置は、音声の入力により音声データを作成する音声入力部を備え、サーバ装置は、音声入力部で作成した音声データを顧客用端末装置から受信すると、顧客用端末装置に表示した画像データと関連付けて音声データを格納することを特徴とする。
【０００７】
上記構成により、サーバ装置は画像データをサムネイル画像として顧客用端末装置に表示させることで、顧客は、撮影終了後、そのサムネイル画像を見ながらその時の気持ちや思いを音声で入力することができる。そして、その入力により音声入力部で作成された音声データをサーバ装置に送信することにより、サーバ装置にその画像データと関連付けて音声データを格納することができる。
【０００８】
上記構成において、好ましくは、サーバ装置は、画像データを印刷写真として印刷を行う印刷加工受付装置とネットワークを経由して接続されており、印刷加工受付装置は、画像データと関連付けられている音声データを再生するための音声再生情報を付して、この画像データの印刷を行う。
【０００９】
上記構成により、印刷加工受付装置は音楽再生情報を付して画像データを印刷して印刷写真を出力する。よって、例えば、サーバ装置にネットワークを介してパソコンなどからアクセスし、その印刷写真に印刷された音声再生情報をサーバ装置に入力することで、サーバ装置からパソコンに対してその印刷写真に対する音声データが送信され、パソコンに付属したスピーカから音声データを音声メッセージとして出力させることができる。また、サーバ装置に格納されている音声データを音声再生機能付き記憶装置に転送した場合には、この音声再生機能付き記憶装置に音声再生情報を入力することにより、音声データを再生させて音声メッセージとして出力させることができる。
【発明の効果】
【００１０】
本発明による写真撮影システムによれば、サーバ装置から顧客用端末装置に格納されている画像データをサムネイル表示することで、顧客はその表示を見ながら、その時の気持ちやメッセージを顧客用端末装置の音声入力部に音声入力することができる。そして、音声入力部で入力された音声に基いて音声データを作成して、該音声データをサーバ装置に送信することで、顧客用端末装置に表示されている画像データと関連付けてサーバ装置に格納しておくことができる。よって、サーバ装置に格納された音声データを各種顧客のニーズに応じて利用することができる。
【発明を実施するための最良の形態】
【００１１】
以下、図面に示した実施形態に基づいて本発明を詳細に説明する。
先ず、本発明の写真撮影システム１０が組み込まれる写真撮影印刷管理システム１全体の構成について説明する。
図１は本発明の写真撮影システム１０が組み込まれる写真撮影印刷管理システム１の構成図である。写真撮影印刷管理システム１は、図１に示すように、写真撮影システム１０とデータセンターサーバ装置２０と印刷加工受付装置３０と管理センターサーバ装置４０とをネットワークで接続して構築されている。
【００１２】
複数の写真撮影システム１０のそれぞれが、高速通信ネットワークなどの第１のネットワーク５０でデータセンターサーバ装置２０や管理センターサーバ装置４０に接続されて、写真撮影システム１０とデータセンターサーバ装置２０と管理センターサーバ装置４０との間で、写真撮影システム１０で作成された画像データや装置間同士での制御情報などの送受信を行う。そのため、第１のネットワーク５０は、ＩＰ−ＶＰＮ（Internet Protocol Virtual Private Network ）など仮想私設専用網とするのが好適である。
一方、データセンターサーバ装置２０と印刷加工受付装置３０とは、図１に示したように、第１のネットワーク５０とは異なる第２のネットワーク６０、例えばインターネットなどの公的な通信網で接続されているが、第１のネットワーク５０で接続されるようにしてもよい。
【００１３】
写真撮影システム１０は、顧客の撮影受付や被撮影者の撮影などの各種業務と、アルバムなどの印刷媒体として顧客に渡すことができるように加工準備業務とを行う。
データセンターサーバ装置２０は、写真撮影システム１０で撮影により作成された画像データや顧客情報を取り纏めて管理を行い、印刷加工受付装置３０に対して印刷発注業務を行う。
管理センターサーバ装置４０は、写真撮影印刷管理システム１全体を統括管理する。例えば、写真印刷システム１０により撮影業務に関する売上処理や経理処理などを行う。
印刷加工受付装置３０は、データセンターサーバ装置２０を経由して写真撮影システム１０から、印刷媒体に加工するよう依頼を受け付け、この依頼に対応して印刷媒体を作成する。
【００１４】
次に、本発明の写真撮影システム１０について詳細に説明する。
図２は本発明の写真撮影システム１０の構成図である。写真撮影システム１０は、管理センターサーバ装置４０を運営する会社の各営業店やフランチャイズ店舗等（以下、「営業店等」という。）に構築されるものであり、各営業店等の撮影スタジオ内に配備されて被撮影者２を撮影する撮影部１００と、顧客の受付業務や注文受付業務を行う受付部２００と、この写真撮影システム１０を統括管理し、顧客の予約情報や撮影部１００で作成された画像データなど各種の情報を格納するサーバ装置３００とを備えている。
【００１５】
次に、撮影部１００について詳細に説明する。
撮影部１００は、撮影者３が被撮影者２を撮影するためのデジタルカメラ１１０と、撮影者３が利用する撮影者用端末装置１２０と、を備えている。
ここで、デジタルカメラ１１０とサーバ装置３００とはケーブルで接続されておらず、デジタルカメラ１１０で撮影により作成された画像データをデジタルカメラ１１０から無線ＬＡＮ（Local Area Network）１１を介在して順次送出される。そのため、電波中継器である無線ＬＡＮアクセスポイント１２が設置されており、無線ＬＡＮアクセスポイント１２は、後述する有線ＬＡＮ１３との中継点の役目も果たしている。
【００１６】
デジタルカメラ１１０は、撮影で画像データを作成する撮影処理部１１１と、撮影処理部１１１で作成された画像データをサーバ装置３００に送信する画像データ送信部１１２と、を備えている。撮影処理部１１１は、例えば約１６７０万画素の３５ｍｍフルサイズのＣＭＯＳセンサーで撮影して画像データを作成する。
【００１７】
撮影者用端末装置１２０は、サーバ装置３００に対して各種要求を行い、その要求に対応した返答を受信する送受信部１２１と、サーバ装置３００に対して各種要求を行えるように、撮影者３に対して各種情報を表示し、かつ撮影者３からの入力を受け付ける表示入力部１２２と、撮影者用端末装置１２０内を制御する制御部１２３とを備えている。
ここで、各種情報としては、撮影者が入力操作しやすいように操作メニュー情報を挙げることができる。この操作メニュー情報は、サーバ装置３００内の記憶領域３１０などに格納されており、撮影者用端末装置１２０からサーバ装置３００に対して操作メニュー情報の送信要求があると、サーバ装置３００から撮影者用端末装置１２０の表示入力部１２２に表示される。このサーバ装置３００に対する送信要求は、撮影者による手入力によらず、撮影者用端末装置１２０を起動させることにより自動的に行われる。また、後述するように、撮影者用端末装置１２０からサーバ装置３００に対して各種の要求がなされるが、これらの要求に対する返答をサーバ装置３００から撮影者用端末装置１２０に送信する場合に、操作メニュー情報が絶えず表示入力部１２２に表示される。
なお、表示入力部１２２は、タッチパネル式ディスプレイであっても、表示部と該表示部の表示画面上でカーソル等を移動させて選択入力するポインティングデバイスやキーボードなどの入力部とから構成されていてもよい。
【００１８】
次に、受付部２００について詳細に説明する。
受付部２００は、撮影の予約業務や受付業務に用いられる受付用端末装置２１０と、撮影終了後顧客が撮影部１００で撮影した結果を閲覧し、その中からアルバムなどの印刷媒体中に含ませる画像情報を選択指定するために用いられる顧客用端末装置２２０と、精算業務に用いられるＰＯＳ（Point of Sales）端末機などの精算業務用端末装置２３０と、を備えている。これら受付用端末装置２１０，顧客用端末装置２２０，精算業務用端末装置２３０はサーバ装置３００と有線ＬＡＮ１３で接続されており、サーバ装置３００の外部入出力装置として機能し、サーバ装置３００と連携して各種業務を行う。
【００１９】
そのため、受付用端末装置２１０はサーバ装置３００に対して各種要求を行い、その要求に対応した返答を受信する送受信部２１１と、サーバ装置３００に対して各種要求を行えるように、受付店員に対して各種情報を表示し、かつ受付店員からの入力を受け付ける表示入力部２１２と、受付用端末装置２１０内を制御する制御部２１３とを備えている。また、顧客用端末装置２２０，精算業務用端末装置２３０も、同様に、送受信部２２１，２３１と表示入力部２２２，２３２と制御部２２３，２３３とを備えている。
顧客用端末装置２２０は、更に、音声入力により音声データを作成する音声入力部２２４を備えている。これは、後述するように、撮影終了後、顧客が撮影結果を確認して印刷発注をする際に、例えば、特定の写真に音声メッセージを付することができるように、マイクに顧客からの音声入力があると、その入力情報を音声データに変換するために備えられている。
【００２０】
ここで、サーバ装置３００について詳細に説明する。
図３はサーバ装置３００の内部機能を模式的に示した構成図である。サーバ装置３００は情報記憶領域３１１とデータ記憶領域３１５とを備えた記憶部３１０を有している。記憶情報領域３１１は、撮影予約者の氏名などを格納する予約情報欄と、撮影受付を行った顧客の氏名などを格納する受付情報欄と、撮影を終了してまだ印刷発注を行っていない顧客の氏名などを格納する発注待ち情報欄とを備えている。また、この情報記憶領域３１１には、各種業務に必要となる情報、例えば、操作メニュー情報や印刷媒体に加工する際の台紙情報や料金明細情報を格納してもよい。
【００２１】
一方、データ記憶領域３１５は、デジタルカメラ１１０で撮影して送信された画像データを格納するための画像データや、該画像データに対応して入力された音声データを格納する領域である。
図４はデータ記憶領域３１５の構成を示した模式図である。データ記憶領域３１５は、例えば、図４に示すように画像データ格納領域３１５ａと音声データ格納領域３１５ｂとに区分されている。画像データ格納領域３１５ａは、例えば顧客情報として顧客ＩＤ（会員番号など）を格納する領域と、顧客ＩＤに対応させて画像データを格納する領域と、画像データに対応させて音声データ格納領域３１５ｂに音声データを格納する場合にその格納場所、即ち、音声データ格納領域３１５ｂの格納番号を示す領域とからなっている。
一方、音声格納領域３１５ｂは、画像データ記憶領域３１５ａに格納されている画像データに対して音声データが入力された場合にこの音声データを格納する領域を備え、音声データの格納場所にはそれぞれ格納番号が付されている。データ記憶領域３１５は、顧客情報に対応させて画像データを格納し、かつ格納した画像データに対応させて音声データを格納するように構成されていれば、他の構成であってもよい。なお、記憶部３１０は、サーバ装置３００内に設けられても外付けであってもよい。
【００２２】
サーバ装置３００は、撮影者用端末装置１２０や受付用端末装置２１０や顧客用端末装置２２０や精算用業務用端末装置２３０からの各種要求を受けて、これらの要求に対する返答をそれぞれ返信する送受信部３２０を備えている。送受信部３２０は受信した要求内容に応じて図３を参照して以下に説明する各部に振り分けて転送する。
【００２３】
例えば、サーバ装置３００は、受付用端末装置２１０と連携し予約受付業務の際に用いられる予約管理部３３０を備えている。即ち、予約管理部３３０は、受付用端末装置２１０から送受信部３２０を経由して予約画面の送信要求を受けると、受付用端末装置２１０の表示入力部２１２に予約画面を送信し、表示入力部２１２にその予約画面を表示させることにより、予約受付に必要な情報の入力を店員に対して促す。店員から予約者の氏名などの入力を受付用端末装置２１０が受けると、予約管理部３３０に予約情報として送信するので、予約管理部３３０は受信した予約情報を記憶部３１０に格納する。例えば、情報記憶領域３１１の予約情報欄にその顧客の氏名や会員番号等を格納する。
【００２４】
また、サーバ装置３００は受付用端末装置２１０と連携し撮影の受付業務の際に用いられる受付管理部３４０を備えている。即ち、受付管理部３４０は、受付用端末装置２１０から送受信部３２０を経由して撮影受付画面の送信要求を受けると、受付用端末装置２１０の表示入力部２１２に撮影受付画面を送信し、表示入力部２１２にその撮影受付画面を表示させることにより来店して受付を行った顧客の顧客情報の入力を店員に対して促す。このとき、情報記憶領域３１１に格納されている予約情報から、例えばその日時に予約が入っている顧客の情報から顧客の氏名や会員番号を抽出して表示することが好ましい。そして、来店した顧客の氏名や会員番号などの入力を店員から受付用端末装置２１０が受けると、受付管理部３４０に受付情報として送信し、受付管理部３４０は受付情報を受信すると、情報記憶領域３１１の受付情報欄にその顧客の氏名や会員番号などを格納する。
【００２５】
また、サーバ装置３００は、受付管理部３４０により受付情報欄に顧客の氏名等を格納する毎に、データ記憶領域３１５にその顧客用のデータを格納するための領域を確保し、確保した領域の管理を行う格納場所管理部３５０を備えている。即ち、格納場所管理部３５０は、受付管理部３４０と連携して、受付用端末装置２１０から撮影のために来店した顧客の氏名や会員番号の入力をサーバ装置３００が受けると、データ記憶領域３１５に、その顧客の画像データを格納するための格納場所を確保する。ここで、データ記憶領域３１５が図４に示したデータ構造の場合には、画像データ記憶領域３１５ａに確保される。具体的には、サーバ装置３００には、所謂ファイル管理用のプログラムが搭載されており、このプログラムを起動させて、データ記憶領域３１５、つまり画像データ記憶領域３１５ａにその顧客用のフォルダを作成し、フォルダ名として顧客の氏名及び／又は会員番号を付する。
【００２６】
また、サーバ装置３００は、撮影者用端末装置１２０に対して、撮影当日受付を行った顧客の一覧を表示すると共に、撮影者用端末装置１２０から送信された顧客の氏名等に基いてデータ記憶領域３１５内の格納場所を指定する格納場所指定部３６０を備えている。ここで、データ記憶領域３１５が図４に示したデータ構造の場合には、格納場所指定部３６０は、画像データ記憶領域３１５ａ内の格納場所（顧客ＩＤ）を指定する。
【００２７】
即ち、格納場所指定部３６０は、撮影者用端末装置１２０から送受信部３２０を経由して、撮影当日受付を行った顧客一覧の表示要求を受けると、情報記憶領域３１１の受付情報欄に格納されている顧客名などの顧客情報を参照して、被撮影者の一覧情報を作成し、この一覧情報を送受信部３２０を経由させて、撮影者用端末装置１２０の表示入力部１２２に表示させる。このとき、撮影者に対していま現に撮影しようとする顧客の氏名を選択するように指示表示するが、顧客の氏名に限らず顧客の会員番号などでもよい。この指示表示により表示入力部１２２が撮影者３から今撮影しようとする被撮影者の氏名の入力を受けると、この入力された情報が、格納場所指定情報として撮影者用端末装置１２０からサーバ装置３００に送信される。格納場所指定部３６０は、送受信部３２０を経由して格納場所指定情報を受けると、画像データ受信部３７０に対してこの格納場所指定情報、具体的には、データ記憶領域３１５内のフォルダ名を通知する。これにより、後述するように画像データ受信部３７０が受信する画像データをその通知されたデータ記憶領域３１５のフォルダ内に格納する。
【００２８】
また、サーバ装置３００は、デジタルカメラ１１０から送信された画像データを受信し、データ記憶領域３１５に記憶させる画像データ受信部３７０を備えている。即ち、前述のように画像データ受信部３７０は格納場所指定部３６０により通知された格納場所指定情報を一時保持しておき、デジタルカメラ１１０から画像データを受信すると、この格納場所指定情報に基いてデータ記憶領域３１５、つまり画像データ記憶領域３１５ａ内の格納場所を特定し、この特定した格納場所に受信した画像データを格納する。具体的には、格納場所指定情報から対応するデータ記憶領域３１５、つまり画像データ記憶領域３１５ａ内のフォルダを認識し、この認識したフォルダ内に受信した画像データを格納する。
【００２９】
また、サーバ装置３００は、データ記憶領域３１５内の各格納場所に格納されている画像データに基いて、そのサムネイル画像を作成するサムネル画像作成部３８０を備える。ここで、サムネイルとは、画像の絵柄が一目で分かるように小さく表示した画像の見本である。サムネイル画像作成部３８０は、サムネイル画像を作成するためのサムネイル画像作成プログラムを格納したプログラム格納部３８１と、プログラム格納部３８１内のサムネイル画像作成プログラムを起動させる起動部３８２と、サムネイル画像プログラムにより画像データに基いて作成されたサムネイル画像を格納するサムネイル画像格納部３８３とを備えている。これにより、サーバ装置３００が、撮影者用端末装置１２０からある顧客の撮影終了報告を受信すると、起動部３８２に対してプログラム格納部２８１内のサムネイル画像作成プログラムを起動するように指示する。よって、サムネイル画像作成プログラムによりサムネイル画像が作成され、サムネイル画像格納部３８３に格納される。
【００３０】
また、サーバ装置３００は、顧客用端末装置２２０と連携して該顧客用端末装置２２０の表示入力部２２２にサムネイル画像を表示させ、このサムネイル画像から印刷すべき画像データを顧客に選択させて印刷注文を受ける印刷受付部３９０を備えている。
このとき、印刷受付部３９０は、顧客が選択した画像データに対して顧客が音声入力することにより音声入力部２２４で作成された音声データを受信して、データ記憶領域３１５、つまり、音声データ記憶領域３１５ｂに画像データに対応させて音声データを格納する。
【００３１】
次に、本発明の写真撮影システム１０により、撮影予約、撮影当日の受付、撮影、写真発注がどのようになされるかについて詳細に説明する。
先ず、写真撮影システム１０の撮影予約手順について説明する。図５は本発明の写真撮影システム１０の撮影予約手順を示したシーケンスである。予め顧客は写真撮影の予約を行うために、例えば、営業店等に来店し、店員から写真撮影の流れなどの説明を受ける。図５に示したシーケンス図は、店員が受付用端末装置２１０を操作する場合で説明している。
【００３２】
受付用端末装置２１０からサーバ装置３００に対して予約画面の送信要求がなされると（ＳＴ１−１）、サーバ装置３００の予約管理部３３０は受信した送信要求に対応し、予約画面を返信する（ＳＴ１−２）。
受付用端末装置２１０は、受信した予約画面を表示入力部２１２に表示し、店員に対して顧客の氏名や撮影日時などの予約情報の入力を促す（ＳＴ１−３）。
そして、受付用端末装置２１０は、表示入力部２１２に対して予約情報の入力を受けると（ＳＴ１−４）、表示入力部２１２に入力された予約情報を予約管理部３３０に送信する（ＳＴ１−５）。
予約情報を受信した予約管理部３３０は、記憶部３１０の情報記憶領域３１１の予約情報欄に予約者の氏名等を格納する（ＳＴ１−６）。
このように、顧客からの撮影予約に関する情報がサーバ装置３００に登録される。
【００３３】
次に、写真撮影システム１０の撮影受付手順について説明する。
図６は、本発明の写真撮影システム１０の撮影受付手順を示したシーケンス図である。顧客は撮影当日、営業店等に来店し、受付カウンターなどで撮影受付を行う。図６に示したシーケンス図は、店員が受付用端末装置２１０を操作する場合で説明している。
【００３４】
受付用端末装置２１０からサーバ装置３００に対して受付画面の送信要求がなされると（ＳＴ２−１）、サーバ装置３００の受付管理部３４０は受けた送信要求に対応し、受付画面を返信する（ＳＴ２−２）。受付用端末装置２１０は、受信した受付画面を表示入力部２１２に表示し、店員に対して、受付した顧客の氏名などの顧客情報の入力を促す（ＳＴ２−３）。そして、受付用端末装置２１０は、表示入力部２１２に対して顧客情報の入力を受けると（ＳＴ２−４）、表示入力部２１２に入力された顧客情報を受付情報として受付管理部３４０に送信する（ＳＴ２−５）。
【００３５】
受付情報を受信した受付管理部３４０は、記憶部３１０の情報記憶領域３１１の受付情報欄に顧客の氏名等を格納する（ＳＴ２−６）。また、この格納処理と相前後して、格納場所管理部３５０に対して受付情報を送信し（ＳＴ２−７）、格納場所管理部３５０は、当日撮影で作成される画像データの格納場所を、データ記憶領域３１５に確保する（ＳＴ２−８）。ここで、この格納場所は、顧客毎に確保される。
このようにして、受付処理と同時に、撮影で作成された画像データを格納するために、その格納場所をサーバ装置３００のデータ記憶領域３１５に予め確保しておく。
【００３６】
次に、写真撮影システム１０による撮影手順について説明する。
図７は本発明の写真撮影システム１０の撮影手順を示すシーケンス図である。顧客は撮影の受付が終了すると、例えば所定の衣裳に着替えて撮影スタジオに入る。図７に示したシーケンス図は、撮影を行うカメラマンが撮影者用端末装置１２０を操作する場合で説明している。
撮影者用端末装置１２０からサーバ装置３００に対して被撮影者一覧要求の送信がなされると（ＳＴ３−１）、サーバ装置３００の格納場所指定部３６０は、受けた被撮影者一覧要求に対応し、記憶部３１０の情報記憶領域３１１から前述のＳＴ２−６で受付情報欄に格納されている顧客情報を参照して、被撮影者一覧情報を作成する（ＳＴ３−２）。このとき、被撮影者の氏名を基にして被撮影者一覧情報が作成されることが好ましい。そして、撮影者用端末装置１２０にその作成された被撮影者一覧情報が送信される（ＳＴ３−３）。
撮影者用端末装置１２０は、被撮影者一覧情報を受信すると、表示入力部１２２に表示し、撮影者に対して今から撮影される者の氏名等を選択入力させる（ＳＴ３−４）。このように、表示入力部１２２に逐一被撮影者の一覧が表示されるので、間違って他の顧客を撮影することを未然に防ぐことができる。
【００３７】
撮影者がこれから撮影される顧客の氏名等を、表示入力部１２２から選択して入力する（ＳＴ３−５）。この入力された顧客情報が、データ記憶領域３１５の格納場所を指定する情報（以下、「格納場所指定情報」とする。）として、格納場所指定部３６０に送信される（ＳＴ３−６）。格納場所指定部３６０は、格納場所指定情報を受信すると、受信した格納場所指定情報を画像データ受信部３７０に通知する（ＳＴ３−７）。これにより、画像データ受信部３７０はこれからデジタルカメラ１１０から送信される画像データの格納場所を特定することができる。
【００３８】
そして、デジタルカメラ１１０による撮影で撮影処理部１１１により画像データが作成されると（ＳＴ３−８）、作成された画像データはデジタルカメラ１１０の画像データ送信部１１２を経由して、サーバ装置３００の画像データ受信部３７０に送信される（ＳＴ３−９）。画像データ受信部３７０は画像データを受信すると、ＳＴ３−７により通知された格納場所指定情報からデータ記憶領域３１５内の格納場所を特定し、特定した格納場所に受信した画像データを格納する（ＳＴ３−１０）。
【００３９】
ここで、引き続き同一の顧客を撮影する場合には、ＳＴ３−８乃至ＳＴ３−１０が繰り返される。これは、画像データ受信部３７０が特定している格納場所に変更がないためである。しかし、別の顧客を撮影する場合、つまり、画像データ記憶領域３１５ａ内に複数の格納場所が確保されており、画像データの格納場所を変える場合には、ＳＴ３−１から順次行って画像データの格納場所を指定する。よって、複数の顧客に対して、撮影で作成した画像データの格納場所をそれぞれ顧客毎に指定することができる。また、一台のデジタルカメラ１１０で、かつ顧客毎に記録媒体を用意する必要がないので、効率的である。また、被撮影者が衣裳替えなどを行う場合には、その空いた時間に別の顧客の撮影を行うことができる。
【００４０】
また、ある顧客が全ての撮影を終了する場合には、撮影終了後、撮影者用端末装置１２０の表示入力部１２２に表示された「撮影終了」のボタンを押す（ＳＴ３−１１）。ここで、表示入力部１２２への「撮影終了」のボタン表示は、サーバ装置３００が情報記憶領域３１１に格納されている操作メニュー情報から、撮影者用端末装置１２０の表示入力部１２２に表示するようにメニュー画面を作成し、撮影者用端末装置１２０に送信されることで行われる。そして、撮影者による「撮影終了」の入力により、顧客用端末装置２２０からサーバ装置３００のサムネイル画像作成部３８０に対して撮影終了の報告がなされる（ＳＴ３−１２）。
【００４１】
サムネイル画像作成部３８０は、撮影終了の終了報告を受けると、格納場所指定部３６０や画像データ受信部３７０から格納場所指定情報を入手する。そして、格納場所指定情報を添えて、サムネイル画像作成部３８０の起動部３８１に対し、プログラム格納部３８１内のサムネイル画像作成プログラムを起動するように指示する。すると、プログラム格納部３８０は格納場所特定情報から格納場所、具体的にはフォルダ名を特定して、サムネイル画像作成プログラムを起動することにより、特定した格納場所に格納されている画像データのサムネイル画像を作成し、サムネイル画像格納部３８３に格納する（ＳＴ３−１３）。このとき、格納場所特定情報から顧客情報を割り出し、割り出した顧客情報とともに格納する。
【００４２】
図８はサムネイル画像格納部３８３のデータ構成を模式的に示した図である。図８に示すように、サムネイル画像格納部３８３は、顧客特定情報とサムネイル画像情報とを対にして格納する。なお、図８に示した、「第１の画像」などは、一つの画像データを一つのサムネイル画像に変換したものである。
また、記憶部３１０の情報記憶領域３１１内の受付情報欄から、格納場所指定情報を基に被撮影者の氏名などの顧客情報を削除する。一方、情報記憶領域３１１内の発注待ち情報欄に被撮影者の氏名などの顧客情報を登録する。
【００４３】
次に、写真撮影システム１０による発注手順について説明する。
顧客は撮影が全て終了すると、撮影スタジオから顧客用端末装置２２０が設置されている場所に移動し、そこで本日撮影した結果を見ながら、印刷発注したい画像データを選択する。
図９は本発明の写真撮影システム１０の発注手順を示すシーケンス図である。図９に示したシーケンス図は、店員が顧客に説明しながら、顧客用端末装置２２０を操作する場合で説明している。なお、以下、発注手順を想定して説明するが、その中に閲覧手順も含まれる。つまり、後述の発注要求や発注画面には、それぞれ、閲覧要求や閲覧画面が含まれるものとして説明する。
【００４４】
顧客用端末装置２２０からサーバ装置３００に対して発注画面の送信要求がなされると（ＳＴ４−１）、サーバ装置３００の印刷受付部３９０は、記憶部３１０の情報記憶領域３１１の発注待ち情報欄から顧客情報を入手して、発注待ち顧客一覧情報を作成し（ＳＴ４−２）、発注画面として顧客用端末装置２００に返信する（ＳＴ４−３）。
顧客用端末装置２００は、受信した発注画面を表示入力部２２２に表示し、顧客氏名などの顧客を特定する情報（「顧客特定情報」という。）の入力を顧客や店員に対して促す（ＳＴ４−４）。
【００４５】
顧客用端末装置２００の表示入力部２２２に対して顧客特定情報を入力し（ＳＴ４−５）、次の発注画面の表示要求の入力があると、顧客用端末装置２００はその表示要求を顧客特定情報と共に印刷受付部３９０に送信する（ＳＴ４−６）。印刷受付部３９０は、顧客特定情報と共に次の発注画面の表示要求を受けると、顧客特定情報を基に、サムネイル画像作成部３８０のサムネイル画像格納部３８３に一時的に格納されている各サムネイル画像を抽出して（ＳＴ４−７）、顧客特定情報に対応した発注画面を作成して顧客用端末装置２２０に送信する（ＳＴ４−８）。顧客用端末装置２００は、発注画面を受信すると、表示入力部２２２に表示する（ＳＴ４−９）。
ここでは、印刷発注する場合で説明しているが、単に閲覧要求する場合には、「発注画面」が「閲覧画面」に変わるだけであり、ＳＴ４−８までの処理により、顧客は撮影した画像データをこの画面を見ることで閲覧することができる。
【００４６】
次に、顧客は表示入力部２２２に表示された発注画面を見ながら、表示内容の指示に従って印刷発注したい画像データを選択する（ＳＴ４−１０）。
図１０は、印刷発注する際、表示入力部２２２に表示される内容をそれぞれ模式的に示した図である。先ず、前述のＳＴ４−８で、表示入力部２２２には、図１０（ａ）に示すような内容が表示される。図１０（ａ）に示すように、発注処理段階が今どの段階にあるかを示すメニュー領域５１０と、サムネイル画像が一覧表示されるサムネイル画像一覧表示領域５２０と、選択画像表示領域５３０と、からなる発注画面６１０が表示される。このとき、顧客は、サムネイル画像一覧表示領域５２０に表示された各サムネイル画像を見ながら、マウスなどを用いてサムネイル画像を指定して「選択」のボタンを押すことにより、選択画像表示領域５３０にも表示される。また、マウスなどを用いてサムネイル画像を指定して「拡大」のボタンを押すことにより、サムネイル画像一覧表示領域５２０にその指定された画像のみを拡大して表示させることができる。
【００４７】
以上のようにして、選択画像表示領域５３０に表示された「仕上げ選択」のボタンを押すと、図１０（ｂ）に示すような次の発注画面６２０が表示入力部２２２に表示される。次の発注画面６２０は、メニュー領域５１０と、選択画像表示領域５３０と、各画像の仕上げ方法を指定するための情報を表示した仕上げ方法選択領域５４０とからなる。
仕上げ方法選択領域５４０は、選択画像表示領域５３０に表示された画像をマウスなどで指定することでこの指定された画像を表示するための上欄と、上欄に表示された画像をどのように印刷して仕上げるかついてを指定する情報が表示された下欄とからなる。図示した場合には、上欄に表示された画像を、例えば、カレンダー仕様，アルバム仕様，ポストカード仕様，ベースプリント仕様など、各仕様を指定することができるようになっている。つまり、図示した場合では、「第２の画像」を郵便物になるように印刷したい場合には、下欄の「ポストカード」をマウスなどで指定することで、仕上げ方法の入力を行うことができる。このとき、この仕上げ方法の入力により、第２の画像がはめ込まれたポストカードが表示される。
【００４８】
さらに、本発明では、選択画像表示領域５３０に表示された画像をマウスなどで指定することで、この画像の基となる画像データに音声データを対応させて、サーバ装置３００に格納させることができる。即ち、図１０（ｂ）に示すように、仕上げ方法選択領域５４０の下欄には、「音声入力開始」及び「音声入力終了」のボタンが表示されており、顧客は、「音声入力開始」のボタンを押すことで、顧客用端末装置２２０の音声入力部２２４を構成するマイクに向って音声入力し、音声入力が終了すると「音声入力終了」のボタンを押す。これにより、音声入力部２２４により音声入力に対応して音声データが作成される。この作成された音声データは、作成の度にサーバ装置３００に送信される。
【００４９】
ここで、サーバ装置３００の印刷受付部３９０は音声データを受信すると、音声データ記憶領域３１５ｂに音声データを画像データと対応させて格納する。例えば先ず、受信した音声データを音声データ記憶領域３１５ｂに格納する。そして、サーバ装置３００は、現に顧客用端末装置２２０の表示入力部２２２に図１０（ｂ）のような画面を表示しているので、サーバ装置３００側は、仕上げ方法選択領域５４０の上欄に表示している画像、図１０（ｂ）では「第２の画像」を特定することができる。よって、その特定した画像の基となる画像データを格納している画像データ記憶領域３１５ａの格納番号の欄に、受信した音声データを格納した箇所の格納番号、図４の場合では「Ｎ１」を格納しておく。このようにすることで、画像データに対応させて音声データを格納することができる。
【００５０】
以上のようにして、選択画面表示領域５３０に表示された各画像について仕上げ方法を指定して、「見積の表示へ」のボタンを押すことで、図１０（ｃ）に示すような次の発注画面６３０が表示入力部２２２に表示される。次の発注画面６３０は、メニュー領域５１０と見積明細提示領域５５０と見積金額提示領域５６０とからなる。見積明細提示領域５５０、見積金額提示領域５６０は、前の発注画面で指定した仕上げ方法により、印刷受付部３９０で所定のプログラムで見積もりした明細と総額とを、それぞれ表示するための領域である。顧客は、この発注画面を確認して「注文確定」ボタンを押す。すると、顧客用端末装置２２０に外付けされたプリンターから発注内容を伝票として印刷出力される。
【００５１】
このようにして、顧客は表示入力部２２２に表示された発注画面を見ながら、表示内容の指示に従って、印刷発注したい画像データを選択し、仕上げ方法を指定して発注内容の入力がなされる。なお、以上の処理は、印刷受付部３９０に内蔵された各種プログラムを実行することで行われる。各種プログラムとしては、発注画面の作成プログラムや見積もり計算プログラム等である。
その後、その発注内容が顧客用端末装置２２０から印刷注文情報として、印刷受付部３９０に送信される（ＳＴ４−１１）。印刷注文情報は、例えば、顧客の氏名又は会員番号と、画像データのファイル名などの情報とからなっている。
【００５２】
そして、印刷受付部３９０は、印刷注文情報を受けて印刷発注処理を行う（ＳＴ４−１２）。例えば、図１に示すように、サーバ装置３００には第１のネットワーク５０を介してデータセンタサーバ装置２０に接続されているので、一定の期間毎に、データセンターサーバ装置２０に対して、サーバ装置３００の印刷受付部３９０にある印刷注文情報を送信する。
【００５３】
データセンターサーバ装置２０は、印刷加工受付装置３０から定期的にデータセンターサーバ装置２０にある印刷注文情報を取得する。前述のように、特定の画像データに対応させて音声データをサーバ装置３００に格納させた場合には、サーバ装置３００から印刷加工受付装置３０に対して、該画像データと音声データとを結びつける情報、つまり、音声データを格納した場所の情報（以下、「音声データ格納場所情報」という。）も、印刷注文情報の一部として送信される。例えば、図４に示したデータ記憶領域３１５の構成では、画像データ記憶領域３１５ｂ内の格納番号の欄に格納された情報も、印刷注文情報の一部として送信される。なお、音声格納場所情報は画像データに添付される形で送信され、印刷加工受付装置３００は、音声データ格納場所情報がどの画像データに関するものかを認識できる。
【００５４】
このように写真撮影印刷管理システム１を構築しておくことで、印刷加工受付装置３０に印刷注文情報が渡されることになる。そして、印刷加工受付装置３０は、印刷注文情報に応じて写真を印刷する。
【００５５】
印刷加工受付装置３００が写真などの印刷媒体を作成する際、音声データ格納場所情報が添付された画像データをどのように印刷するかについて説明する。
図１１は、印刷加工受付装置３００が印刷媒体を作成する様子を模式的に示した図である。印刷加工受付装置３００は、予め音声データ格納場所情報を、例えば目に見えないドットパターンに変換しておき、先ず、画像データだけを印刷した結果（下絵７１０）に対して、ドットパターン７２０を印刷する。なお、画像処理ソフトウエアなどを用いて、画像データとドットパターンとを結合させておいて、その結合させたデータを印字するようにしてもよい。
以上のように、音声データ格納場所情報を印刷して印刷媒体を作成することができる。なお、音声データ格納場所情報は、目に見えないドットパターンに限らず、１次元バーコードや２次元バーコードであってもよい。これらは、画像データと共に音声再生情報として印刷されるが、画像データの下絵７１０の脇などに印刷される。
【００５６】
次に、このようにして作成した印刷媒体から音声データをどのようにして音声に変換出力させるかについて説明する。
第１の変換出力の方法としては、先ず、サーバ装置３００にネットワークを介してパソコンなどからアクセスする。次に、パソコンに取り付けたセンサーにより、印刷写真に印刷されたドットパターン、つまり、音声再生情報を読み取って、サーバ装置３００に入力する。すると、サーバ装置３００は、その音声再生情報を元に、図４の音声データ記憶領域３１５ｂに格納されている音声データを特定してパソコン等に送信する。パソコンが音声データを受信すると、パソコンに付属したスピーカから音声データを音声メッセージとして出力させる。
【００５７】
第２の変換出力の方法としては、サーバ装置３００に格納されている音声データを音声再生機能付き記憶装置に転送しておいて、この音声再生機能付き記憶装置にドットパタンを入力することにより、音声データを再生させて音声メッセージとして出力させる。
図１２は、音声再生機能付き記憶装置により音声データを再生させる方法を模式的に説明した図である。図１２に示すように、音声再生機能付き記憶装置９００は、ドットパターンなどの音声再生情報を読み取るセンサー部９１０と、音声データを記憶する音声データ記憶部９２０と、センサー部９００で読み取った音声再生情報を元に音声記憶部９２０から音声データを取り出し、音声出力できるようにデータ変換処理を行う処理部９３０と、処理部９３０でデータ変換処理された結果を音声として出力する音声出力部９４０と、からなる。音声データ記憶部９２０には、サーバ装置３００に格納されている音声データとその格納番号とを転送しておく。
【００５８】
このような音声再生機能付き記憶装置９００を用いることで、印刷媒体８００に印刷された印刷写真７００上にセンター部９１０を向けることで、音声再生機能付き記憶装置９００から音声を出力させることができる。
よって、顧客は音声再生機能付き記憶装置９００と印刷媒体８００とをセットとして親戚や知人に贈呈することにより、それらを受けった者に、写真などの視覚を通じてのメッセージと音声を通じたメッセージとを送ることができる。特に、第２の変換出力の方法の場合には、パソコンなどが苦手な人に贈呈する場合に有効である。
【００５９】
以上、本発明の写真撮影システム１０により、撮影予約、撮影当日の受付、撮影、写真発注がなされる。
特に、本発明においては、サーバ装置３００から顧客用端末装置２２０に格納されている画像データをサムネイル表示することで、顧客はその表示を見ながら、その時の気持ちやメッセージを顧客用端末装置２００の音声入力部２２４に音声入力することができる。そして、音声入力部２２４で入力された音声に基いて音声データを作成して、該音声データをサーバ装置３００に送信することで、顧客用端末装置２２０に表示されている画像データと関連付けてサーバ装置２００に格納しておくことができる。よって、顧客はサーバ装置２００に格納された音声データをニーズに応じて利用することができる。
なお、本実施の態様では、被撮影者、即ち、被写体を単数の人物を対象として説明したが、人物に限らず愛玩動物や静物などであってもよいことは勿論である。
【図面の簡単な説明】
【００６０】
【図１】本発明の写真撮影システムが組み込まれる写真撮影印刷管理システムの構成図である。
【図２】本発明の写真撮影システムの構成図である。
【図３】サーバ装置の内部機能を模式的に示した構成図である。
【図４】データ記憶領域の構成を示した模式図である。
【図５】本発明の写真撮影システムの撮影予約手順を示したシーケンス図である。
【図６】本発明の写真撮影システムの撮影受付手順を示したシーケンス図である。
【図７】本発明の写真撮影システムの撮影手順を示すシーケンス図である。
【図８】サムネイル画像格納部データ構成を模式的に示した図である。
【図９】本発明の写真撮影システムの発注手順を示すシーケンス図である。
【図１０】印刷発注する際、表示入力部に表示される内容をそれぞれ模式的に示した図である。
【図１１】印刷加工受付装置で印刷媒体を作成する様子を模式的に示す図である。
【図１２】音声再生機能付き記憶装置により音声データを再生させる方法を模式的に説明した図である。
【符号の説明】
【００６１】
１  写真撮影印刷システム
２  被撮影者
３  撮影者
１０  写真撮影システム
１１  無線ＬＡＮ
１２  無線ＬＡＮアクセスポイント
１３  有線ＬＡＮ
２０  データセンターサーバ装置
３０  印刷加工受付装置
４０  管理センターサーバ装置
５０  第１のネットワーク
６０  第２のネットワーク
１００  撮影部
１１０  デジタルカメラ
１１１  撮影処理部
１１２  画像データ送信部
１２０  撮影者用端末装置
１２１，２１１，２２１，２３１  送受信部
１２２，２１２，２２２，２３２  表示入力部
１２３，２１３，２２３，２３３  制御部
１３１  画像データ受信部
２００  受付部
２１０  受付用端末装置
２２０  顧客用端末装置
２２４  音声入力部
２３０  精算業務用端末装置
３００  サーバ装置
３１０  記憶部
３１１  情報記憶領域
３１５  データ記憶領域
３１５ａ  画像データ記憶領域
３１５ｂ  音声データ記憶領域
３２０  送受信部
３３０  予約管理部
３４０  受付管理部
３５０  格納場所管理部
３６０  格納場所指定部
３７０  画像データ受信部
３８０  サムネイル画像作成部
３８１  プログラム格納部
３８２  起動部
３８３  サムネイル画像格納部
３９０  印刷受付部
５１０  メニュー領域
５２０  サムネイル画像一覧表示領域
５３０  選択画像表示領域
５４０  仕上げ方法選択領域
５５０  見積明細提示領域
５６０  見積金額提示領域
６１０，６２０，６３０  発注画面
７００  印刷写真
７１０  下絵
７２０  ドットパターン（音声再生情報）
８００  印刷媒体
９００  音声再生機能付き記憶装置
９１０  センサー部
９２０  音声データ記憶部
９３０  処理部
９４０  音声出力部
【図１】
2006295257.tif 000003
【図２】
2006295257.tif 000004
【図３】
2006295257.tif 000005
【図４】
2006295257.tif 000006
【図５】
2006295257.tif 000007
【図６】
2006295257.tif 000008
【図７】
2006295257.tif 000009
【図８】
2006295257.tif 000010
【図９】
2006295257.tif 000011
【図１０】
2006295257.tif 000012
【図１１】
2006295257.tif 000013
【図１２】
2006295257.tif 000014